(57)【要約】【課題】  手切れ性を維持したまま、該テープの引張強度と引張伸び率を向上させて製造時及び取り扱い時の作業性を良くした手切れ性粘着テープ及びその製造装置を提供する。【解決手段】  二軸延伸により得られた帯状プラスチックフィルム基材の一面に粘着剤層を設けて形成した粘着テープにおいて、前記粘着テープの長手方向に沿って一定間隔をおいて連続する孔を形成し、該各孔は角部を有しない形状で、側縁より１．５ｍｍ以上の内側に設けられた、該テープの幅方向に手切れ性が容易となることを特徴とし、本発明の手切れ性粘着テープの製造装置は、上記の粘着テープを容易に製造しうる回転刃を具備するものである。【選択図】  図３
2008189865.tif 000002
【特許請求の範囲】
【請求項１】
二軸延伸により得られた帯状プラスチックフィルム基材の一面に粘着剤層を設けて形成した粘着テープにおいて、前記粘着テープの長手方向に沿って一定間隔をおいて連続する孔を形成し、該各孔は角部を有しない形状で、該テープ側縁より１．５ｍｍ以上の内側に設けられた、該テープの幅方向に手切れ性が容易となる手切れ性粘着テープ。
【請求項２】
前記各孔はテープ長手方向の長さとテープ幅方向の幅との比率が、１：１．５〜１：１２である請求項１に記載の粘着テープ。
【請求項３】
前記各孔のテープ長手方向の長さが０．１２〜１．５ｍｍである請求項１又は２に記載の粘着テープ。
【請求項４】
前記孔形状が、真円形状又は楕円形状である請求項１〜３の何れか１つに記載の粘着テープ。
【請求項５】
前記孔形状が、角部分を丸くした略長方形状である請求項１〜３の何れか１つに記載の粘着テープ。
【請求項６】
前記一連の連続孔が、複数列設けられ、隣接する列の各孔は互いに千鳥に配されている請求項１〜６の何れか１つに記載の粘着テープ。
【請求項７】
前記プラスチックフィルムの材質がポリオレフィンである請求項１〜６の何れか１つに記載の粘着テープ。
【請求項８】
前記プラスチックフィルムの材質がポリエステルである請求項１〜６の何れか１つに記載の粘着テープ。
【請求項９】
前記プラスチックフィルムの厚みが１５〜１００μｍである請求項１〜８の何れか１つに記載の粘着テープ。
【請求項１０】
前記粘着テープの幅が１０〜７５ｍｍである請求項１〜９の何れか１つに記載の粘着テープ。
【請求項１１】
請求項１記載の粘着テープの製造装置において、回転する円盤状の回転刃で、且つ回転刃外周壁に複数の刃先が所定間隔おいてその周方向に沿って、且つ半径方向に向けて突出し、該刃先断面が角部を有しない形状である回転刃を具備する粘着テープの製造装置。
【請求項１２】
前記１又は２以上の回転刃が前記粘着テープの側縁より１．５ｍｍ以上の内側に、且つその回転軸を該粘着テープ幅方向と平行にして配せられる請求項１１記載の粘着テープの製造装置。
【発明の詳細な説明】
【技術分野】
【０００１】
本発明は手切れ性粘着テープ及びその製造装置に関するものであり、より詳細には、手切れ性における易手切れ性とテープ自体の機械的強度である引張伸び率及び引張強さをと兼ね備えている手切れ性粘着テープ及びその製造装置に関するものである。
【背景技術】
【０００２】
従来、粘着テープを所望の長さに切断するとき、切断手段等を用いることなく、指先で簡単に切断できるように手切れ性を持たせたテープが提案されてきている。例えば、テープ側縁に等間隔に切れ目を入れたものから始まり、テープ本体の側縁から内側へ僅かな間隔をおいて側縁に平行するミシン目又は切れ目を設けてなる粘着テープ等が既に提案されている（例えば、特許文献１参照）。
また最近、結束用粘着テ−プのプラスチック製基材の両側縁のやや内側に、長手方向に沿って約０．５〜１．５ｍｍ程度の長さのスリット（切れ込み孔）を一定間隔で連続的に設けた手切れ性粘着テープが提案されている（例えば、特許文献２を参照）。そして、このテ−プの単位長さ当り、スリットの長さの合計を約２５〜５０％に形成することによって、粘着テープの手頃な手切れ性を維持しつつ、従来から問題となっている食品パックをテープで結束したものがトラック輸送中等の揺れ、振動等によって結束粘着テ−プが切れてしまうといったことを防止できるとしている。
【特許文献１】実開昭４９−１９０６１号公報
【特許文献２】特開２００１−３５４９２３号公報
【発明の開示】
【発明が解決しようとする課題】
【０００３】
ところで、手切れ性を維持したまま、テープの引張強度及び引張伸び率を向上させることは相反する課題である。このため、従来の粘着テープでは手切れ性を維持することができても、スリットの形成作業中や粘着テープの使用中に破断してしまう不具合がみられる。このため、手切れ性を維持したまま、更なるテープの引張強度と引張伸び率を向上させて製造時及び取り扱い時の作業性を良くすることが望まれている。
【０００４】
本発明は、このような事情に鑑み、手切れ性を維持したまま、該テープの引張強度と引張伸び率を向上させて製造時及び取り扱い時の作業性を良くした手切れ性粘着テープ及びその製造装置を提供しようとするものである。
【課題を解決するための手段】
【０００５】
本発明者等は、手切れ性粘着テープに従来形成されるスリット、所謂、切れ込み孔の形状において、その孔の形状に角部を有しない形状、例えば、真円形状を含む楕円形状、また、菱形、三角形、台形、長方形等の矩形形状であれば、その角部分にＲが形成されて角部を曲線とすること、及び各孔の位置をテープ側縁から１．５ｍｍ以上の内側に設けることにより、手切れ性の機能を損なうことなく、引張強さ及び引張伸び率が向上することを見出し、本発明に至ったものである。
即ち、本発明の手切れ性粘着テープ及びその製造装置は以下の構成又は構造を特徴とするものである。
【０００６】
（１）．二軸延伸により得られた帯状プラスチックフィルム基材の一面に粘着剤層を設けて形成した粘着テープにおいて、前記粘着テープの長手方向に沿って一定間隔をおいて連続する孔を形成し、該各孔は角部を有しない形状で、側縁より１．５ｍｍ以上の内側に設けられた、該テープの幅方向に手切れ性が容易となる手切れ性粘着テープ。
【０００７】
（２）．前記各孔はテープ長手方向の長さとテープ幅方向の幅との比率が、１：１．５〜１：１２である上記（１）に記載の粘着テープ。
（３）．前記各孔のテープ長手方向の長さが０．１２〜１．５ｍｍである上記（１）又は（２）に記載の粘着テープ。
（４）．前記孔形状が、真円形状又は楕円形状である上記（１）〜（３）の何れか１つに記載の粘着テープ。
（５）．前記孔形状が、角部を丸くした略長方形状である上記（１）〜（３）の何れか１つに記載の粘着テープ。
（６）．前記一連の連続孔が、複数列設けられ、隣接する列の各孔は互いに千鳥に配されている上記（１）〜（６）の何れか１つに記載の粘着テープ。
（７）．前記プラスチックフィルムの材質がポリオレフィンである上記（１）〜（６）の何れか１つに記載の粘着テープ。
（８）．前記プラスチックフィルムの材質がポリエステルである上記（１）〜（６）の何れか１つに記載の粘着テープ。
（９）．前記プラスチックフィルムの厚みが１５〜１００μｍである上記（１）〜（８）の何れか１つに紀職の粘着テープ。
（１０）．前記粘着テープの幅が１０〜７５ｍｍである上記（１）〜（９）の何れか１つに記載の粘着テープ。
【０００８】
（１１）．上記（１）記載の粘着テープの製造装置において、回転する円盤状の回転刃で、且つ回転刃外周壁に複数の刃先が所定間隔おいてその周方向に沿って、且つ半径方向に向けて突出し、該刃先断面が角部を有しない形状である回転刃を具備する粘着テープの製造装置。
（１２）．前記１又は２以上の回転刃が前記粘着テープの側縁より１．５ｍｍ以上の内側に、且つその回転軸を該粘着テープ幅方向と平行にして配せられる上記（１１）記載の粘着テープの製造装置。
【発明の効果】
【０００９】
本発明の手切れ性粘着テープ及びその製造装置によれば、そのテープに形成される孔がテープの側縁から１．５ｍｍ以上の内側に形成されること、及び各孔に角部がない形状となっているため、各孔における製造及び取り扱いの作業時に応力が集中する箇所がなく、引張強度及び引張伸び率が向上するという優れた効果を奏し得る。
【発明を実施するための最良の形態】
【００１０】
以下、本発明の実施の形態を添付図面を参照して説明する。
図１及び図２は本発明を実施する形態の手切れ性粘着テープを製造するための装置の回転刃の部分正面図、回転刃の刃先の端面の拡大平面図、及び回転刃の縦断面図である。図３は実施例２における粘着テープの平面図である。図４は比較例１における粘着テープの平面図である。
【００１１】
本発明の手切れ性粘着テープは、二軸延伸により得られた帯状プラスチックフィルム基材の一面に粘着剤層を設けて形成した粘着テープである。粘着テープはその長手方向に沿って一定間隔をおいて連続する孔を形成し、各孔は角部を有しない形状で、側縁より１．５ｍｍ以上の内側に設けられる。
【００１２】
プラスチックフィルムは、適当な引張強さをもち、しかも幅方向の引裂伝播性にすぐれたプラスチックフィルムがよい。粘着テープに求められる引張強さ、及び粘着テープに求められる引張伸び率は、使用用途により適宜選択される。このため、以下の種々のフィルム材料が使用される。
【００１３】
上記強度等を満たすような具体的なフィルム材料は、たとえば、ポリエチレンテレフタレート、ポリエチレンナフタレート等のポリエステル、ポリ乳酸、ポリオレフィン、ポリアミド、ポリビニルアルコール、塩化ビニリデン、塩化ビニルフィルム等を挙げることができ、単層又は積層フィルムとして使用することができ、本発明にあっては二軸延伸したフィルム層を少なくとも含むものである。特に、二軸延伸したポリオレフィンフィルム及びポリエステルフィルムが好ましく、ポリオレフィンとしては、エチレンが９０％以上であるエチレン−α，β不飽和カルボン酸またはα，β不飽和カルボン酸エステル共重合体、低密度ポリエチレン、中密度ポリエチレン、高密度ポリエチレン、直鎖状低密度ポリエチレン、ポリプロピレン、エチレン・エチレン−α−オレフィン共重合体等が挙げられる。特に、二軸延伸ポリプロピレンフィルム（ＯＰＰ）が好ましい。このような二軸延伸フィルムでは、長手方向および幅方向の引張強さに差を持たせることができ、引裂伝播性と引張強さの点で好適である。また、ポリビニルアルコール、塩化ビニリデン、塩化ビニルフィルム等を積層すれば粘着テープに防湿性等の機能性を付与することができる。
【００１４】
本発明に使用するプラスチックフィルムの厚さは、１５〜１００μｍの範囲が好ましい。プラスチックフィルムの厚さが上記範囲にあれば、上述した粘着テープの引張強さ及び引張伸び率を適宜満たし、またテープに十分な可撓性を持たせ取り扱い性を良好にする。
本発明に使用する帯状プラスチックフィルムの幅、即ち粘着テープの幅は、１０〜７５ｍｍの範囲が好ましい。プラスチックフィルムの幅が上記範囲にあれば、上述した粘着テープの引張強さ及び引張伸び率を適宜満たし、またテープに各孔を適切な位置に簡単に配することができ、その取り扱い性を良好にする。
【００１５】
また、これらのフィルム材料には、粘着テープの性能を損わない範囲で、着色剤、耐候安定剤、帯電防止剤、滑剤、充填剤などを添加してもよい。
フィルムに使用する粘着剤は、天然ゴム系、アクリル系、ＳＢＲ系、ブチルゴム系、シリコーン系など、常用のものを使用すればよく、本発明にあっては特に制限するものではない。
【００１６】
本発明の手切れ性粘着テープは、その側縁長手方向に沿って一定間隔をおいて連続する孔が形成される。そして、各孔は角部を有しない形状となっている。
孔が角部を有しない形状とは、例えば、真円形状を含む楕円形状が一般的であるが、菱形、三角形、台形、長方形等の略矩形形状であっても、その角部にＲが形成されて角部分を丸くした略矩形状であることである。ここで、角部のＲの値は０．１以上であることが好ましい。
各孔形状が角部を有しないことにより、粘着テープの長手方向に応力が加えられた場合に、その応力は従来のように切れ込みの鋭角部などの「角」に応力集中が生じないため、引張強さ及び引張伸び率が向上する。
【００１７】
各孔は、粘着テープの側縁より１．５ｍｍ以上の内側の位置に形成される。特に好ましくは、孔が側縁より３〜６ｍｍの範囲の位置にあることである。各孔が側縁より１．５ｍｍ未満の内側の位置にあると、粘着テープの長手方向からの応力に対する引張り強さ及び引張り伸び率が悪くなる。また、各孔が側縁より６ｍｍを超える位置にあると、手切れ性を確保することができなくなる。
【００１８】
各孔は、粘着テープの長手方向と幅方向の長さが同じ、即ち、孔形状が真円形状又は略正方形状でも良いが、好ましくは、粘着テープの長手方向が長い楕円形状又は略長方形状である。この場合、テープ長手方向の長さとテープ幅方向の幅との比率が、１：１．５〜１：１２の範囲にあることが好ましく、特に好ましくは、１：２〜１：１０の範囲である。各孔にテープ長手方向の方向性を付けることは、テープ幅方向の引裂伝播性とテープ長手方向の引張強さの点で好適である。
また、各孔のテープ長手方向の長さは０．１２〜１．５ｍｍの範囲が好ましく、より好ましくは、０．１５〜１．２ｍｍの範囲である。上記範囲以下では手切れ性が悪く、上記範囲を超えると引張強さ・引張伸び率の低下が起こる。
【００１９】
本発明の一連の連続孔は一定間隔をおいて設けられる。その一定間隔は、各孔の長手方向の長さにもよるが、１〜６ｍｍの範囲が上述の手切れ性及び引張強さの関係で好ましい。
また、粘着テープには、前記一連の連続孔が複数列設けらて良い。好ましく、粘着テープの両側縁からそれぞれ対称に一対の連続孔が形成されることが好ましく、また、更に中央部に連続孔が形成されても良い。
連続孔が複数列形成される場合は、隣接する列の各孔は互いに千鳥に配されることが好ましい。孔が千鳥に設けられると、手切れ性が良く、引張り強度の低下が抑えられ、また、粘着テープの長手方向の強度も場所による相違が回避できる。
【００２０】
次に、上記粘着テープの製造装置について説明する。尚、本発明の粘着テープは以下の製造装置に基づいて製造する必要はない。しかしながら、以下の本発明の製造装置によれば、歩留まり良く製造することができる。
粘着テープの製造装置は、図１及び図２に示すように、回転する円盤状の回転刃２を具備する。回転刃２の中央には軸受け孔３が形成されている。回転刃２はその回転刃外周壁２ａに複数の刃先４が所定間隔おいてその周方向に沿って半径方向に向けて突出している。図１においては、該刃先断面形状５が略長方形状で角部を有しない形状である。即ち、四隅の角部分５ａはＲ０．１２５の曲線に形成されている。尚、本態様では、略長方形状の刃先４を示したが、円形状、楕円形状の断面形状を有する刃先であっても良い。
【００２１】
粘着テープの製造にあっては、製造装置内に粘着テープのロールを巻き出し供給し、上記回転刃２は２つ回転刃が粘着テープの側縁より１．５ｍｍ以上の内側に、即ち、両側縁からそれぞれ４ｍｍの位置に配され、その回転軸を該粘着テープ幅方向と平行にして配せられている。従って、本発明の粘着テープの製造装置では、回転刃２の取り付け位置を粘着テープの幅方向に対して適宜選択して使用することができる。
このような製造装置による粘着テープの製造方法では、粘着テープは長手方向に対して十分な引張強度を有しているため、歩留まりの良い製造ができ、作業性が良くなる。また、その一方で、製造された粘着テープの低切れ性も十分に維持される。
尚、本発明の手切れ性粘着テープ及びその製造装置は、上記した実施の形態に限定されるものではなく、本発明の要旨を逸脱しない範囲内において種々変更を加え得ることは勿論である。
【実施例】
【００２２】
実施例１〜４、比較例１〜２の製造方法を以下に説明する。幅１０００ｍｍのそれぞれのフィルム（二軸延伸ポリプロピレンフィルムＯＰＰ：東レ株式会社製のトレファンＢ０２５４８、二軸延伸ポリエステル：ユニチカ株式会社製のエンブレッドＭＲＫ−３８）の片面には、乾燥後０．２ｇ／ｍ2となるように剥離剤を、もう一方の片面には乾燥後２５ｇ／ｍ2となるようにゴム系粘着剤を塗工した。
得られた塗工物を両側縁の所定の位置にスコア刃で形成しながら、テープ幅２０ｍｍに切断加工を施した後に巻き取って製品とした。この工程は通常粘着テープの製造に用いる切断用スリッターを使用することができる。尚、実施例２及び比較例１についての粘着テープの平面図を図３及び図４に示した。尚、図３及び図４はその紙面の都合上、テープ幅をその他の寸法（孔及び長手方向）の１／５に縮尺して表示してある。
【００２３】
実施例１〜４、及び比較例１〜２のそれぞれの孔形状、孔の長手方向の長さ、幅方向の長さ、孔同士の間隔、側縁よりの孔の位置に関して、表１に示した。また、各実施例及び比較例について、引張強さ、引張伸び率、手切れ性に関する評価を行った。その結果を表１に示した。尚、評価方法は以下の通りである。
（１）引張強さ（Ｎ／１０ｍｍ）及び引張伸び率（％）
引張強さ・引張伸びは、ＪＩＳ  Ｚ−０２３７の方法に従って測定する。
（２）手切れ性（％）
熟練した検査員による手作業検査により、容易に切断できた比率を出した。試験数は１００回実施してその成功確率を％で表示する。
【００２４】
【表１】
2008189865.tif 000003
【産業上の利用可能性】
【００２５】
本発明の手切れ性粘着テープは、手切れ性を維持したまま、該テープの引張強度と引張伸び率を向上させて製造時及び取り扱い時の作業性を良く、産業上の利用可能性の高いものであり、その最適な製造装置である本発明の手切れ性粘着テープの製造装置も産業上の利用可能性のあるものである。
【図面の簡単な説明】
【００２６】
【図１】図１は本発明を実施する形態の手切れ性粘着テープを製造するための装置の回転刃の部分正面図、及び回転刃の刃先の端面の拡大平面図である。
【図２】図２は本発明を実施する形態の手切れ性粘着テープを製造するための装置の回転刃の縦断面図である。
【図３】図３は実施例２における粘着テープの平面図である。
【図４】図４は比較例１における粘着テープの平面図である。
【符号の説明】
【００２７】
２・・・回転刃
３・・・軸受け孔
４・・・刃先
５・・・刃先断面
【図１】
2008189865.tif 000004
【図２】
2008189865.tif 000005
【図３】
2008189865.tif 000006
【図４】
2008189865.tif 000007